(57)【要約】　　　（修正有）【課題】ユーザによる煩雑な作業を削減し、より利便性の高い情報記録再生システム、楽曲記録再生システム、楽曲記録再生装置、楽曲記録処理プログラム、楽曲記録方法を提供する。【課題手段】第１記録媒体に記録された複数のプログラム情報の再生制御を行う情報記録再生装置と、第２記録媒体に記録された複数のプログラム情報の再生制御を行う、前記情報記録再生装置に着脱自在の携帯型情報記録再生装置とを備えた情報記録再生システムである。第１記録媒体からプログラム情報が再生される際に、前記第１記録媒体に記録された当該プログラム情報および、これに続いて再生すべき１以上のプログラム情報を前記第２記録媒体に複製する。前記所定のプログラム情報の再生が終了した場合に、当該プログラム情報を前記第２記録媒体から消去し、前記複製された１以上のプログラム情報の後に再生すべきプログラム情報を、新たに前記第２記録媒体に複製する。【選択図】　図４
2004005098.tif 000002
【特許請求の範囲】
【請求項１】
第１記録媒体に記録された複数のプログラム情報の再生制御を行う第１再生制御手段を備えた情報記録再生装置と、
第２記録媒体と、当該第２記録媒体に記録された複数のプログラム情報の再生制御を行う第２再生制御手段とを備え前記情報記録再生装置に着脱自在の携帯型情報記録再生装置と、を備えた情報記録再生システムであって、
前記情報記録再生装置は、
前記第１記録媒体から所定のプログラム情報が再生される際に、前記第１記録媒体に記録された当該プログラム情報および、これに続いて再生すべき１または２以上のプログラム情報を前記第２記録媒体に複製する情報複製手段と、
前記所定のプログラム情報の再生が終了した場合に、当該プログラム情報を前記第２記録媒体から消去した後、前記複製された１または２以上のプログラム情報の後に再生すべき前記第１記録媒体に記録されたプログラム情報を、新たに前記第２記録媒体に複製する情報消去複製手段と、を備えることを特徴とする情報記録再生システム。
【請求項２】
第１記録媒体に記録された複数のプログラム情報の再生制御を行う第１再生制御手段を備えた情報記録再生装置と、
前記第１記録媒体に記録された複数のプログラム情報のうち現在再生中のプログラム情報および、これに続いて再生すべき１または２以上のプログラム情報が記録された第２記録媒体と、当該第２記録媒体に記録されたプログラム情報の再生制御を行う第２再生制御手段とを備え前記情報記録再生装置に着脱自在の携帯型情報記録再生装置と、を備えた情報記録再生システムであって、
前記情報記録再生装置は、
前記所定のプログラム情報の再生が終了した場合に、当該プログラム情報を前記第２記録媒体から消去した後、前記第２記録媒体に記録された１または２以上のプログラム情報の後に再生すべき前記第１記録媒体に記録されたプログラム情報を、新たに前記第２記録媒体に複製する情報消去複製手段を備えることを特徴とする情報記録再生システム。
【請求項３】
第１記録媒体に記録された複数のプログラム情報の再生制御を行う第１再生制御手段を備えた情報記録再生装置と、
第２記録媒体と、当該第２記録媒体に記録された複数のプログラム情報の再生制御を行う第２再生制御手段とを備え前記情報記録再生装置に着脱自在の携帯型情報記録再生装置と、を備えた情報記録再生システムであって、
前記携帯型情報記録再生装置は、
前記第１記録媒体から所定のプログラム情報が再生される際に、前記第１記録媒体に記録された当該プログラム情報および、これに続いて再生すべき１または２以上のプログラム情報を前記第２記録媒体に複製する情報複製手段と、
前記所定のプログラム情報の再生が終了した場合に、当該プログラム情報を前記第２記録媒体から消去した後、前記複製された１または２以上のプログラム情報の後に再生すべき前記第１記録媒体に記録されたプログラム情報を、新たに前記第２記録媒体に複製する情報消去複製手段と、を備えることを特徴とする情報記録再生システム。
【請求項４】
第１記録媒体に記録された複数のプログラム情報の再生制御を行う第１再生制御手段を備えた情報記録再生装置と、
前記第１記録媒体に記録された複数のプログラム情報のうち現在再生中のプログラム情報および、これに続いて再生すべき１または２以上のプログラム情報が記録された第２記録媒体と、当該第２記録媒体に記録されたプログラム情報の再生制御を行う第２再生制御手段とを備え前記情報記録再生装置に着脱自在の携帯型情報記録再生装置と、を備えた情報記録再生システムであって、
前記携帯型情報記録再生装置は、
前記所定のプログラム情報の再生が終了した場合に、当該プログラム情報を前記第２記録媒体から消去した後、前記第２記録媒体に記録された１または２以上のプログラム情報の後に再生すべき前記第１記録媒体に記録されたプログラム情報を、新たに前記第２記録媒体に複製する情報消去複製手段を備えることを特徴とする情報記録再生システム。
【請求項５】
請求項１乃至４の何れか一項に記載の情報記録再生システムにおいて、
前記第１記録媒体の記憶容量は、前記第２記録媒体の記録容量より大きいことを特徴とする情報記録再生システム。
【請求項６】
第１記録媒体に記録された複数の楽曲データの再生制御を行う第１再生制御手段を備えた楽曲記録再生装置と、
第２記録媒体と、当該第２記録媒体に記録された複数の楽曲データの再生制御を行う第２再生制御手段とを備え前記楽曲記録再生装置に着脱自在の携帯型楽曲記録再生装置と、を備えた楽曲記録再生システムであって、
前記楽曲記録再生装置は、
前記第１記録媒体から所定の楽曲データが再生される際に、当該楽曲データおよび、これに続いて再生すべき１または２以上の楽曲データを前記第１記録媒体から前記第２記録媒体にチェックアウトするチェックアウト手段と、
前記所定の楽曲データの再生が終了した場合に、当該楽曲データを前記第２記録媒体から前記第１記録媒体にチェックインした後、前記チェックアウトされた１または２以上の楽曲データの後に再生すべき楽曲データを、新たに前記第１記録媒体から前記第２記録媒体にチェックアウトするチェックイン・アウト手段と、を備えることを特徴とする楽曲記録再生システム。
【請求項７】
第１記録媒体に記録された複数の楽曲データの再生制御を行う第１再生制御手段を備えた楽曲記録再生装置と、
前記第１記録媒体に記録された複数の楽曲データのうち現在再生中の楽曲データおよび、これに続いて再生すべき１または２以上の楽曲データが記録された第２記録媒体と、当該第２記録媒体に記録された楽曲データの再生制御を行う第２再生制御手段とを備え前記楽曲記録再生装置に着脱自在の携帯型楽曲記録再生装置と、を備えた楽曲記録再生システムであって、
前記楽曲記録再生装置は、
前記所定の楽曲データの再生が終了した場合に、当該楽曲データを前記第２記録媒体から前記第１記録媒体にチェックインした後、前記第２記録媒体に記録された１または２以上の楽曲データの後に再生すべき楽曲データを、新たに前記第１記録媒体から前記第２記録媒体にチェックアウトするチェックイン・アウト手段を備えることを特徴とする楽曲記録再生システム。
【請求項８】
請求項６または７に記載の楽曲記録再生システムにおいて、
前記第１記録媒体の記憶容量は、前記第２記録媒体の記録容量より大きいことを特徴とする楽曲記録再生システム。
【請求項９】
第１記録媒体に記録された複数の楽曲データの再生制御を行う第１再生制御手段を備えた楽曲記録再生装置と、
第２記録媒体と、当該第２記録媒体に記録された複数の楽曲データの再生制御を行う第２再生制御手段とを備え前記楽曲記録再生装置に着脱自在の携帯型楽曲記録再生装置と、を備えた楽曲記録再生システムにおける前記楽曲記録再生装置であって、
前記第１記録媒体から所定の楽曲データが再生される際に、当該楽曲データおよび、これに続いて再生すべき１または２以上の楽曲データを前記第１記録媒体から前記第２記録媒体にチェックアウトするチェックアウト手段と、
前記所定の楽曲データの再生が終了した場合に、当該楽曲データを前記第２記録媒体から前記第１記録媒体にチェックインした後、前記チェックアウトされた１または２以上の楽曲データの後に再生すべき楽曲データを、新たに前記第１記録媒体から前記第２記録媒体にチェックアウトするチェックイン・アウト手段と、を備えることを特徴とする楽曲記録再生システムにおける楽曲記録再生装置。
【請求項１０】
第１記録媒体に記録された複数の楽曲データの再生制御を行う第１再生制御手段を備えた楽曲記録再生装置と、
前記第１記録媒体に記録された複数の楽曲データのうち現在再生中の楽曲データおよび、これに続いて再生すべき１または２以上の楽曲データが記録された第２記録媒体と、当該第２記録媒体に記録された楽曲データの再生制御を行う第２再生制御手段とを備え前記楽曲記録再生装置に着脱自在の携帯型楽曲記録再生装置と、を備えた楽曲記録再生システムにおける前記楽曲記録再生装置であって、
前記所定の楽曲データの再生が終了した場合に、当該楽曲データを前記第２記録媒体から前記第１記録媒体にチェックインした後、前記第２記録媒体に記録された１または２以上の楽曲データの後に再生すべき楽曲データを、新たに前記第１記録媒体から前記第２記録媒体にチェックアウトするチェックイン・アウト手段を備えることを特徴とする楽曲記録再生システムにおける楽曲記録再生装置。
【請求項１１】
第１記録媒体に記録された複数の楽曲データの再生制御を行う第１再生制御手段を備えた楽曲記録再生装置と、
第２記録媒体と、当該第２記録媒体に記録された複数の楽曲データの再生制御を行う第２再生制御手段とを備え前記楽曲記録再生装置に着脱自在の携帯型楽曲記録再生装置と、を備えた楽曲記録再生システムにおける前記楽曲記録再生装置に含まれるコンピュータを、
前記第１記録媒体から所定の楽曲データが再生される際に、当該楽曲データおよび、これに続いて再生すべき１または２以上の楽曲データを前記第１記録媒体から前記第２記録媒体にチェックアウトするチェックアウト手段、
前記所定の楽曲データの再生が終了した場合に、当該楽曲データを前記第２記録媒体から前記第１記録媒体にチェックインした後、前記チェックアウトされた１または２以上の楽曲データの後に再生すべき楽曲データを、新たに前記第１記録媒体から前記第２記録媒体にチェックアウトするチェックイン・アウト手段、として機能させることを特徴とする楽曲記録処理プログラム。
【請求項１２】
第１記録媒体に記録された複数の楽曲データの再生制御を行う第１再生制御手段を備えた楽曲記録再生装置と、
前記第１記録媒体に記録された複数の楽曲データのうち現在再生中の楽曲データおよび、これに続いて再生すべき１または２以上の楽曲データが記録された第２記録媒体と、当該第２記録媒体に記録された楽曲データの再生制御を行う第２再生制御手段とを備え前記楽曲記録再生装置に着脱自在の携帯型楽曲記録再生装置と、を備えた楽曲記録再生システムにおける前記楽曲記録再生装置に含まれるコンピュータを、
前記所定の楽曲データの再生が終了した場合に、当該楽曲データを前記第２記録媒体から前記第１記録媒体にチェックインした後、前記第２記録媒体に記録された１または２以上の楽曲データの後に再生すべき楽曲データを、新たに前記第１記録媒体から前記第２記録媒体にチェックアウトするチェックイン・アウト手段として機能させることを特徴とする楽曲記録処理プログラム。
【請求項１３】
第１記録媒体に記録された複数の楽曲データの再生制御を行う楽曲記録再生装置と、第２記録媒体に記録された複数の楽曲データの再生制御を行い前記楽曲記録再生装置に着脱自在の携帯型楽曲記録再生装置と、を備えた楽曲記録再生システムにおける楽曲記録方法であって、
第１記録媒体から所定の楽曲データが再生される際に、当該楽曲データおよび、これに続いて再生すべき１または２以上の楽曲データを前記第１記録媒体から前記第２記録媒体にチェックアウトする工程と、
前記所定の楽曲データの再生が終了した場合に、当該楽曲データを前記第２記録媒体から前記第１記録媒体にチェックインした後、前記チェックアウトされた１または２以上の楽曲データの後に再生すべき楽曲データを、新たに前記第１記録媒体から前記第２記録媒体にチェックアウトする工程と、を備えることを特徴とする楽曲記録再生システムにおける楽曲記録方法。
【発明の詳細な説明】
【０００１】
【発明の属する技術分野】
脱着式操作パネルを備えたオーディオシステムに関し、特に、ポータブルプレーヤーとして利用可能な脱着式操作パネルにプログラム情報を記録する技術に関する。
【０００２】
【従来の技術】
近年、脱着式操作パネルを備えた車載用オーディオシステムが知られている。この車載用オーディオシステムの脱着式操作パネルには、プログラム情報（例えば、楽曲データ）を記録するフラッシュメモリや、そのフラッシュメモリから楽曲データを読み出して再生を行うマイコン等が内蔵されている。これにより、ユーザは、脱着式操作パネルを当該システムの本体装置から外してポータブルプレーヤーとして利用することができる。例えば、ユーザは、車から降りる際、本体装置に内蔵された楽曲データ記録用の記録媒体（例えば、ＨＤＤ（ハードディスク））から所望の楽曲データを、脱着式操作パネル上でいくつか選択してフラッシュメモリに記録した後、脱着式操作パネルを本体装置から外してポータブルプレーヤーとして持ち歩くことになる。
【０００３】
【発明が解決しようとする課題】
しかしながら、楽曲データ記録用の記録媒体から所望の楽曲データ（例えば、車の中で聴いていた楽曲および聴こうとしていた楽曲）を、脱着式操作パネル上でいくつか選択してフラッシュメモリに記録する作業は、ユーザにとって面倒であり、特に、ユーザが急いでいる場合には、非常に煩わしい。
【０００４】
そこで、上記課題に鑑みてなされたものであり、ユーザによる煩雑な作業を削減し、より利便性の高い情報記録再生システム、楽曲記録再生システム、楽曲記録再生システムにおける楽曲記録再生装置、楽曲記録処理プログラム、楽曲記録再生システムにおける楽曲記録方法を提供することを目的する。
【０００５】
【課題を解決するための手段】
上記課題を解決するため、請求項１記載の発明は、第１記録媒体に記録された複数のプログラム情報の再生制御を行う第１再生制御手段を備えた情報記録再生装置と、第２記録媒体と、当該第２記録媒体に記録された複数のプログラム情報の再生制御を行う第２再生制御手段とを備え前記情報記録再生装置に着脱自在の携帯型情報記録再生装置と、を備えた情報記録再生システムであって、前記情報記録再生装置は、前記第１記録媒体から所定のプログラム情報が再生される際に、前記第１記録媒体に記録された当該プログラム情報および、これに続いて再生すべき１または２以上のプログラム情報を前記第２記録媒体に複製する情報複製手段と、前記所定のプログラム情報の再生が終了した場合に、当該プログラム情報を前記第２記録媒体から消去した後、前記複製された１または２以上のプログラム情報の後に再生すべき前記第１記録媒体に記録されたプログラム情報を、新たに前記第２記録媒体に複製する情報消去複製手段と、を備えるように構成する。
【０００６】
請求項１記載の発明によれば、再生すべきプログラム情報を第１記録媒体から第２記録媒体に複製し、プログラム情報の再生終了にあわせて、第２記録媒体に記録するプログラム情報を入れ替えていくように構成したので、例えば、ユーザが第１記録媒体からのプログラム情報の再生を停止し、携帯型情報記録再生装置を情報記録再生装置から外してポータブルプレーヤーとして使用する時においても、ユーザは、これから再生しようとしていたプログラム情報を選択して第２記録媒体に記録することなく、携帯型情報記録再生装置から簡単に再生させることができる。従って、ユーザによる煩雑な作業を削減し、利便性を向上させることができる。
【０００７】
請求項２に記載の発明は、第１記録媒体に記録された複数のプログラム情報の再生制御を行う第１再生制御手段を備えた情報記録再生装置と、前記第１記録媒体に記録された複数のプログラム情報のうち現在再生中のプログラム情報および、これに続いて再生すべき１または２以上のプログラム情報が記録された第２記録媒体と、当該第２記録媒体に記録されたプログラム情報の再生制御を行う第２再生制御手段とを備え前記情報記録再生装置に着脱自在の携帯型情報記録再生装置と、を備えた情報記録再生システムであって、前記情報記録再生装置は、前記所定のプログラム情報の再生が終了した場合に、当該プログラム情報を前記第２記録媒体から消去した後、前記第２記録媒体に記録された１または２以上のプログラム情報の後に再生すべき前記第１記録媒体に記録されたプログラム情報を、新たに前記第２記録媒体に複製する情報消去複製手段を備えるように構成する。
【０００８】
請求項２記載の発明によれば、再生すべきプログラム情報を第１記録媒体から第２記録媒体に複製しておき、プログラム情報の再生終了にあわせて、第２記録媒体に記録するプログラム情報を入れ替えていくように構成したので、例えば、ユーザが第１記録媒体からのプログラム情報の再生を停止し、携帯型情報記録再生装置を情報記録再生装置から外してポータブルプレーヤーとして使用する時においても、ユーザは、これから再生しようとしていたプログラム情報を選択して第２記録媒体に記録することなく、携帯型情報記録再生装置から簡単に再生させることができる。従って、ユーザによる煩雑な作業を削減し、利便性を向上させることができる。
【０００９】
請求項３に記載の発明は、第１記録媒体に記録された複数のプログラム情報の再生制御を行う第１再生制御手段を備えた情報記録再生装置と、第２記録媒体と、当該第２記録媒体に記録された複数のプログラム情報の再生制御を行う第２再生制御手段とを備え前記情報記録再生装置に着脱自在の携帯型情報記録再生装置と、を備えた情報記録再生システムであって、前記携帯型情報記録再生装置は、前記第１記録媒体から所定のプログラム情報が再生される際に、前記第１記録媒体に記録された当該プログラム情報および、これに続いて再生すべき１または２以上のプログラム情報を前記第２記録媒体に複製する情報複製手段と、前記所定のプログラム情報の再生が終了した場合に、当該プログラム情報を前記第２記録媒体から消去した後、前記複製された１または２以上のプログラム情報の後に再生すべき前記第１記録媒体に記録されたプログラム情報を、新たに前記第２記録媒体に複製する情報消去複製手段と、を備えるように構成する。
【００１０】
請求項３記載の発明によれば、携帯型情報記録再生装置に、情報複製手段および情報消去複製手段を設けさせてもよく、この場合にも、請求項１に記載の発明と同様の効果を得ることができる。
【００１１】
請求項４に記載の発明は、第１記録媒体に記録された複数のプログラム情報の再生制御を行う第１再生制御手段を備えた情報記録再生装置と、前記第１記録媒体に記録された複数のプログラム情報のうち現在再生中のプログラム情報および、これに続いて再生すべき１または２以上のプログラム情報が記録された第２記録媒体と、当該第２記録媒体に記録されたプログラム情報の再生制御を行う第２再生制御手段とを備え前記情報記録再生装置に着脱自在の携帯型情報記録再生装置と、を備えた情報記録再生システムであって、前記携帯型情報記録再生装置は、前記所定のプログラム情報の再生が終了した場合に、当該プログラム情報を前記第２記録媒体から消去した後、前記第２記録媒体に記録された１または２以上のプログラム情報の後に再生すべき前記第１記録媒体に記録されたプログラム情報を、新たに前記第２記録媒体に複製する情報消去複製手段を備えるように構成する。
【００１２】
請求項４記載の発明によれば、携帯型情報記録再生装置に、情報消去複製手段を設けさせてもよく、この場合にも、請求項２に記載の発明と同様の効果を得ることができる。
【００１３】
請求項５に記載の発明は、請求項１乃至４の何れか一項に記載の情報記録再生システムにおいて、前記第１記録媒体の記憶容量は、前記第２記録媒体の記録容量より大きいように構成する。
【００１４】
請求項６に記載の発明は、第１記録媒体に記録された複数の楽曲データの再生制御を行う第１再生制御手段を備えた楽曲記録再生装置と、第２記録媒体と、当該第２記録媒体に記録された複数の楽曲データの再生制御を行う第２再生制御手段とを備え前記楽曲記録再生装置に着脱自在の携帯型楽曲記録再生装置と、を備えた楽曲記録再生システムであって、前記楽曲記録再生装置は、前記第１記録媒体から所定の楽曲データが再生される際に、当該楽曲データおよび、これに続いて再生すべき１または２以上の楽曲データを前記第１記録媒体から前記第２記録媒体にチェックアウトするチェックアウト手段と、前記所定の楽曲データの再生が終了した場合に、当該楽曲データを前記第２記録媒体から前記第１記録媒体にチェックインした後、前記チェックアウトされた１または２以上の楽曲データの後に再生すべき楽曲データを、新たに前記第１記録媒体から前記第２記録媒体にチェックアウトするチェックイン・アウト手段と、を備えるように構成する。
【００１５】
請求項６記載の発明によれば、再生すべき楽曲データを第１記録媒体から第２記録媒体にチェックアウトし、楽曲データの再生終了にあわせて、第２記録媒体に記録する楽曲データを入れ替えていくように構成したので、ユーザが第１記録媒体からの楽曲データの再生を停止し、携帯型楽曲記録再生装置を楽曲記録再生装置から外してポータブルプレーヤーとして使用する時においても、ユーザは、これから聴こうとしていた楽曲データを選択して第２記録媒体にチェックアウトすることなく、携帯型楽曲記録再生装置にて簡単に聴くことができる。
【００１６】
請求項７に記載の発明は、第１記録媒体に記録された複数の楽曲データの再生制御を行う第１再生制御手段を備えた楽曲記録再生装置と、前記第１記録媒体に記録された複数の楽曲データのうち現在再生中の楽曲データおよび、これに続いて再生すべき１または２以上の楽曲データが記録された第２記録媒体と、当該第２記録媒体に記録された楽曲データの再生制御を行う第２再生制御手段とを備え前記楽曲記録再生装置に着脱自在の携帯型楽曲記録再生装置と、を備えた楽曲記録再生システムであって、前記楽曲記録再生装置は、前記所定の楽曲データの再生が終了した場合に、当該楽曲データを前記第２記録媒体から前記第１記録媒体にチェックインした後、前記第２記録媒体に記録された１または２以上の楽曲データの後に再生すべき楽曲データを、新たに前記第１記録媒体から前記第２記録媒体にチェックアウトするチェックイン・アウト手段を備えるように構成する。
【００１７】
請求項７記載の発明によれば、再生すべき楽曲データを第１記録媒体から第２記録媒体にチェックアウトしておき、楽曲データの再生終了にあわせて、第２記録媒体に記録する楽曲データを入れ替えていくように構成したので、ユーザが第１記録媒体からの楽曲データの再生を停止し、携帯型楽曲記録再生装置を楽曲記録再生装置から外してポータブルプレーヤーとして使用する時においても、ユーザは、これから聴こうとしていた楽曲データを選択して第２記録媒体にチェックアウトすることなく、携帯型楽曲記録再生装置にて簡単に聴くことができる。
【００１８】
請求項８に記載の発明は、請求項６または７に記載の楽曲記録再生システムにおいて、前記第１記録媒体の記憶容量は、前記第２記録媒体の記録容量より大きいように構成する。
【００１９】
請求項９に記載の発明は、第１記録媒体に記録された複数の楽曲データの再生制御を行う第１再生制御手段を備えた楽曲記録再生装置と、第２記録媒体と、当該第２記録媒体に記録された複数の楽曲データの再生制御を行う第２再生制御手段とを備え前記楽曲記録再生装置に着脱自在の携帯型楽曲記録再生装置と、を備えた楽曲記録再生システムにおける前記楽曲記録再生装置であって、前記第１記録媒体から所定の楽曲データが再生される際に、当該楽曲データおよび、これに続いて再生すべき１または２以上の楽曲データを前記第１記録媒体から前記第２記録媒体にチェックアウトするチェックアウト手段と、前記所定の楽曲データの再生が終了した場合に、当該楽曲データを前記第２記録媒体から前記第１記録媒体にチェックインした後、前記チェックアウトされた１または２以上の楽曲データの後に再生すべき楽曲データを、新たに前記第１記録媒体から前記第２記録媒体にチェックアウトするチェックイン・アウト手段と、を備えるように構成する。
【００２０】
請求項９記載の発明によれば、請求項６に記載の発明と同様の効果を得ることができる。
【００２１】
請求項１０に記載の発明は、第１記録媒体に記録された複数の楽曲データの再生制御を行う第１再生制御手段を備えた楽曲記録再生装置と、前記第１記録媒体に記録された複数の楽曲データのうち現在再生中の楽曲データおよび、これに続いて再生すべき１または２以上の楽曲データが記録された第２記録媒体と、当該第２記録媒体に記録された楽曲データの再生制御を行う第２再生制御手段とを備え前記楽曲記録再生装置に着脱自在の携帯型楽曲記録再生装置と、を備えた楽曲記録再生システムにおける前記楽曲記録再生装置であって、前記所定の楽曲データの再生が終了した場合に、当該楽曲データを前記第２記録媒体から前記第１記録媒体にチェックインした後、前記第２記録媒体に記録された１または２以上の楽曲データの後に再生すべき楽曲データを、新たに前記第１記録媒体から前記第２記録媒体にチェックアウトするチェックイン・アウト手段を備えるように構成する。
【００２２】
請求項１０記載の発明によれば、請求項７に記載の発明と同様の効果を得ることができる。
【００２３】
請求項１１に記載の発明は、第１記録媒体に記録された複数の楽曲データの再生制御を行う第１再生制御手段を備えた楽曲記録再生装置と、第２記録媒体と、当該第２記録媒体に記録された複数の楽曲データの再生制御を行う第２再生制御手段とを備え前記楽曲記録再生装置に着脱自在の携帯型楽曲記録再生装置と、を備えた楽曲記録再生システムにおける前記楽曲記録再生装置に含まれるコンピュータを、前記第１記録媒体から所定の楽曲データが再生される際に、当該楽曲データおよび、これに続いて再生すべき１または２以上の楽曲データを前記第１記録媒体から前記第２記録媒体にチェックアウトするチェックアウト手段、前記所定の楽曲データの再生が終了した場合に、当該楽曲データを前記第２記録媒体から前記第１記録媒体にチェックインした後、前記チェックアウトされた１または２以上の楽曲データの後に再生すべき楽曲データを、新たに前記第１記録媒体から前記第２記録媒体にチェックアウトするチェックイン・アウト手段、として機能させるように構成する。
【００２４】
請求項１１記載の発明によれば、楽曲記録処理プログラムがコンピュータに組み込まれることにより、請求項９に記載の楽曲記録再生装置を実現することができる。
【００２５】
請求項１２に記載の発明は、第１記録媒体に記録された複数の楽曲データの再生制御を行う第１再生制御手段を備えた楽曲記録再生装置と、前記第１記録媒体に記録された複数の楽曲データのうち現在再生中の楽曲データおよび、これに続いて再生すべき１または２以上の楽曲データが記録された第２記録媒体と、当該第２記録媒体に記録された楽曲データの再生制御を行う第２再生制御手段とを備え前記楽曲記録再生装置に着脱自在の携帯型楽曲記録再生装置と、を備えた楽曲記録再生システムにおける前記楽曲記録再生装置に含まれるコンピュータを、前記所定の楽曲データの再生が終了した場合に、当該楽曲データを前記第２記録媒体から前記第１記録媒体にチェックインした後、前記第２記録媒体に記録された１または２以上の楽曲データの後に再生すべき楽曲データを、新たに前記第１記録媒体から前記第２記録媒体にチェックアウトするチェックイン・アウト手段として機能させるように構成する。
【００２６】
請求項１２記載の発明によれば、楽曲記録処理プログラムがコンピュータに組み込まれることにより、請求項１０に記載の楽曲記録再生装置を実現することができる。
【００２７】
請求項１３に記載の発明は、第１記録媒体に記録された複数の楽曲データの再生制御を行う楽曲記録再生装置と、第２記録媒体に記録された複数の楽曲データの再生制御を行い前記楽曲記録再生装置に着脱自在の携帯型楽曲記録再生装置と、を備えた楽曲記録再生システムにおける楽曲記録方法であって、第１記録媒体から所定の楽曲データが再生される際に、当該楽曲データおよび、これに続いて再生すべき１または２以上の楽曲データを前記第１記録媒体から前記第２記録媒体にチェックアウトする工程と、前記所定の楽曲データの再生が終了した場合に、当該楽曲データを前記第２記録媒体から前記第１記録媒体にチェックインした後、前記チェックアウトされた１または２以上の楽曲データの後に再生すべき楽曲データを、新たに前記第１記録媒体から前記第２記録媒体にチェックアウトする工程と、を備えるように構成する。
【００２８】
請求項１３記載の発明によれば、請求項１に記載の発明と同様の効果を得ることができる。
【００２９】
【発明の実施の形態】
以下、本発明の好適な実施の形態を添付図面に基づいて説明する。なお、以下の実施形態は、本発明にかかる情報記録再生システムを車載用オーディオシステムに適用した場合の実施形態である。また、以下の説明では、本発明にかかるプログラム情報として、公知のＳＤＭＩ（Ｓｅｃｕｒｅ　Ｄｉｇｉｔａｌ　Ｍｕｓｉｃ　Ｉｎｉｔｉａｔｉｖｅ）規格に基づき複製回数が制限された楽曲データを例にとるものとする。
【００３０】
先ず、図１および図２を参照して、本実施形態における車載用オーディオシステムの構成および機能を説明する。
【００３１】
図１は、本実施形態における車載用オーディオシステムの外観構成例である。図１に示すように、車載用オーディオシステム１００は、大別して、情報記録再生装置としての本体装置１と、当該本体装置１に着脱自在の携帯型情報記録再生装置としての脱着式操作パネル２とを含んで構成される。本体装置１の前面には係合部１０が、脱着式操作パネル２の裏面には被係合部２０が、それぞれ設けられている。そして、当該被係合部２０が係合部１０に係合されることにより、脱着式操作パネル２は、本体装置１に装着（保持）されることになる。
【００３２】
また、図示しないが、本体装置１の前面および脱着式操作パネル２の裏面には、それぞれ、デタッチコネクタが設けられており、これらのデタッチコネクタが互いに連結されることにより、本体装置１と脱着式操作パネル２との間が電気的に接続され、楽曲データの送受信ができるようになっている。
【００３３】
図２は、本実施形態における車載用オーディオシステム１００の概要ブロック例である。
【００３４】
先ず、本体装置１は、図２に示すように、第１記録媒体としてのＨＤＤ１１と、ＨＤＤ１１への楽曲データの記録およびＨＤＤ１１から楽曲データの再生を行うＨＤＤ記録・再生部１２と、ＨＤＤ記録・再生部１２により再生された楽曲データに対し音声処理を施し出力する音声処理部１３と、移動体通信網を介してインターネットに接続するための通信部１４と、上記各構成要素全体を制御する本体制御部１５と、上記各構成要素全体に電源を供給する電源１６と、を備えている。
【００３５】
ＨＤＤ１１には、複数の楽曲データが記録されている。このような楽曲データは、例えば、インターネット上の公知のＥＭＤ（Ｅｌｅｃｔｒｏｎｉｃ　Ｍｕｓｉｃ　Ｄｉｓｔｒｉｂｕｔｉｏｎ）サーバから配信されたデジタル情報である。また、各楽曲データには、複製回数を制限するための許容複製回数が付与されている。
【００３６】
なお、本実施形態においては、第１記録媒体としてＨＤＤ１１を例にとって説明したが、これに限定されるものではなく、ＣＤ−Ｒ、ＤＶＤ−Ｒ／Ｗなどの記録媒体であってもよい。
【００３７】
ＨＤＤ記録・再生部１２は、ＨＤＤドライブおよびバッファメモリなどを備えており、ＨＤＤドライブは、本体制御部１５からの指示を受け、ＨＤＤ１１への楽曲データの記録およびＨＤＤ１１からの楽曲データの再生を行うようになっている。また、この時、楽曲データは、一旦、バッファメモリに蓄えられるようになっている。
【００３８】
音声処理部１３は、デコーダ、ＤＡＣ（Ｄｉｇｉｔａｌ−ｔｏ−Ａｎａｌｏｇ　Ｃｏｎｖｅｒｔｅｒ）およびＡＭＰ（Ａｍｐｌｉｆｉｅｒ）、スピーカなどを備えている。ＨＤＤ記録・再生部１２により再生された楽曲データは、デコーダにより伸長処理が施された後、ＤＡＣによりアナログ音声信号に変換される。次いで、ＡＭＰにより増幅された後、スピーカにより外部に音声として出力される。
【００３９】
本体制御部１５は、演算機能を有するコンピュータとしてのＣＰＵ、作業用ＲＡＭ、本発明の楽曲記録処理プログラムを含む各種処理プログラムやデータを記憶するＲＯＭなどからなり、第１再生制御手段として、ＨＤＤ記録・再生部１２における楽曲データの再生動作を制御する。また、本体制御部１５は、移動体通信網およびインターネットを介してＥＭＤサーバにアクセスして楽曲データを取得する。また、本体制御部１５は、取得された楽曲データをＨＤＤ１１に記録するようにＨＤＤ記録・再生部１２を制御する。また、このような制御は、脱着式操作パネル２に備えた操作／表示部２４およびパネル制御部２５を介して入力されるユーザからの指示に従って行われる。
【００４０】
また、本体制御部１５は、本体装置１と脱着式操作パネル２とが、デタッチコネクタを介して電気的に接続されているかどうかを検知している。
【００４１】
さらに、本体制御部１５は、上述したＳＤＭＩ規格に基づく楽曲データの複製の形式や履歴を管理し、各楽曲データに付与された許容複製回数の範囲内での複製を許容するとともに、許容複製回数を超える複製を禁止する制御を行うホスト機能を有する。ここで、ある記録媒体に記録された楽曲データを、それに付与された許容複製回数の範囲内で、他の記録媒体に複製することをチェックアウトといい、楽曲データがチェックアウトされる毎に、許容複製回数が１度数づつ減少する。一方、チェックアウトされた楽曲データを元の記録媒体に戻すことをチェックインといい、楽曲データがチェックインされる毎に、許容複製回数が１度数づつ増加する。
【００４２】
さらに、本体制御部１５のＣＰＵは、ＲＯＭに記録された楽曲記録処理プログラムにより、本発明のチェックアウト手段、チェックイン・アウト手段として機能する。かかる機能の詳細については後述される。
【００４３】
次に、脱着式操作パネル２は、図２に示すように、第２記録媒体としてのフラッシュメモリ（例えば、メモリースティック（登録商標））２１と、フラッシュメモリ２１への楽曲データの記録およびフラッシュメモリ２１から楽曲データの再生を行うメモリ記録・再生部２２と、メモリ記録・再生部２２により再生された楽曲データに対し音声処理を施し出力する音声処理部２３と、ユーザの操作ボタンの操作による指示入力を受付けパネル制御部２５に出力したり、所定の情報を表示する操作／表示部２４と、上記各構成要素全体を制御するパネル制御部２５と、上記各構成要素全体に電源を供給する電源（例えば、公知の充電池）２６と、を備えている。
【００４４】
フラッシュメモリ２１には、ＨＤＤ１１からチェックアウトされた複数の楽曲データが記録される。ここで、フラッシュメモリ２１の記録容量は、ＨＤＤ１１の記録容量より少ないため、専ら、ＨＤＤ１１に記録されている楽曲データのうち、一部の楽曲データがチェックアウトされフラッシュメモリ２１に記録されることになる。
【００４５】
メモリ記録・再生部２２は、チェックアウトの際に、パネル制御部２５からの指示を受け、フラッシュメモリ２１に楽曲データを記録する。また、メモリ記録・再生部２２は、パネル制御部２５からの指示を受け、フラッシュメモリ２１に記録された楽曲データを再生する。また、メモリ記録・再生部２２は、チェックインの際に、パネル制御部２５からの指示を受け、フラッシュメモリ２１に記録された楽曲データを消去する。
【００４６】
音声処理部２３は、デコーダ、ＤＡＣおよびＡＭＰなどを備えている。メモリ記録・再生部２２により再生された楽曲データは、デコーダにより伸長処理が施された後、ＤＡＣによりアナログ音声信号に変換され、ＡＭＰにより増幅される。そして、増幅された音声信号は、例えば、脱着式操作パネル２に設けられた外部接続端子を介してヘッドホンに出力される。
【００４７】
パネル制御部２５は、演算機能を有するＣＰＵ、作業用ＲＡＭ、各種処理プログラムやデータを記憶するＲＯＭなどからなり、操作／表示部２４を介したユーザからの指示を本体装置１の本体制御部１５に伝えたり、表示すべき所定の情報（例えば、楽曲データのタイトルや、トラック番号など）を操作／表示部２４に出力し表示制御を行ったりする。
【００４８】
また、パネル制御部２５は、チェックアウトの際には、本体装置１の本体制御部１５からの指示に従い、本体装置１からの楽曲データをフラッシュメモリ２１に記録すべく、メモリ記録・再生部２２を制御する。また、チェックインの際には、本体装置１の本体制御部１５に対してその旨の指示を伝えるとともに、楽曲データをフラッシュメモリ２１から消去すべく、メモリ記録・再生部２２を制御する。
【００４９】
また、脱着式操作パネル２が本体装置１に装着されていない時、つまり、ユーザが、脱着式操作パネル２をポータブルプレーヤーとして使用している時においては、パネル制御部２５は、操作／表示部２４を介したユーザからの指示に従い、第２再生制御手段として、メモリ記録・再生部２２における楽曲データの再生動作を制御する。
【００５０】
以上の構成において、ＨＤＤ１１から所定の楽曲データ（例えば、ユーザにより指定された楽曲データ）が再生される際に、本体装置１の本体制御部１５は、チェックアウト手段として機能し、当該楽曲データおよび、これに続いて再生すべき１または２以上の楽曲データをＨＤＤ１１からフラッシュメモリ２１にチェックアウトする。また、所定の楽曲データの再生が終了した場合に、本体装置１の本体制御部１５は、チェックイン・アウト手段として機能し、当該楽曲データをＨＤＤ１１にチェックインした後、上記チェックアウトされた１または２以上の楽曲データの後に再生すべき楽曲データを、新たにＨＤＤ１１からフラッシュメモリ２１にチェックアウトする。
【００５１】
次に、図３および図４を参照して、このような本体装置１の本体制御部１５のチェックアウト手段およびチェックイン・アウト手段の詳細を説明する。
【００５２】
図３は、ＨＤＤ１１から所定の楽曲データが再生される際における本体制御部１５の処理を示すフローチャートである。図４は、図３の処理が実行される場合において、楽曲データがチェックアウトおよびチェックインされる場合のようすを示す概念図である。
【００５３】
本体制御部１５は、本体装置１と脱着式操作パネル２との電気的な接続状態を検知している場合には、脱着式操作パネル２からの指示を受付ける状態になっている。
【００５４】
図３において、先ず、ユーザが操作／表示部２４を操作して、ＨＤＤ１１に記録された楽曲データのうち、再生したい楽曲データを１若しくは２以上指定すると、本体制御部１５は、これに応じ（ステップＳ１）、再生すべき楽曲データを複数設定する（ステップＳ２）。例えば、通常の連続再生の場合、ユーザにより指定された一つの楽曲データおよび、これに続く複数の楽曲データ（例えば、指定された楽曲データに続いてＨＤＤ１１に記録された複数の楽曲データ）を設定する。また、いわゆるプログラム再生の場合、ユーザにより指定された複数の楽曲データを設定する。
【００５５】
次に、本体制御部１５は、設定された１曲目の楽曲データの再生指令を、ＨＤＤ記録・再生部１２に与える（ステップＳ３）。これにより、ＨＤＤ１１から、その楽曲データが再生され、音声処理部１３を介して音声出力されることになる。また、本体制御部１５は、脱着式操作パネル２のパネル制御部２５に対し、ラストアドレスを通知する。
【００５６】
次に、本体制御部１５は、チェックアウト手段として、ＨＤＤ１１から再生された楽曲データ（ＨＤＤ記録・再生部１２のバッファメモリに蓄積された楽曲データ）を、パネル制御部２５およびメモリ記録・再生部２２を介して、フラッシュメモリ２１にチェックアウトする（ステップＳ４）。つまり、本体制御部１５は、当該楽曲データをパネル制御部２５に出力するとともに、パネル制御部２５にチェックアウト指令を与える。これにより、パネル制御部２５は、当該楽曲データをフラッシュメモリ２１に記録すべく、メモリ記録・再生部２２を制御し、当該楽曲データがフラッシュメモリ２１に記録されることになる。また、本体制御部１５は、チェックアウトされた楽曲データの許容複製回数を１度数減少させる。
【００５７】
次に、本体制御部１５は、フラッシュメモリ２１に空き容量があるか否かを判断する（ステップＳ５）。この空き容量があるか否かの情報は、例えば、パネル制御部２５から取得される。フラッシュメモリ２１に空き容量がある場合、本体制御部１５は、チェックアウト手段として、設定された次の楽曲データ、即ち、再生中の楽曲データの次に再生すべき楽曲データをパネル制御部２５およびメモリ記録・再生部２２を介して、フラッシュメモリ２１にチェックアウトする（ステップＳ６）。具体的には、本体制御部１５は、ＨＤＤ記録・再生部１２を制御して、ＨＤＤ１１から設定された次の楽曲データを読み出し、随時、バッファメモリ（例えば、再生中の楽曲データとは別のバッファメモリ）に蓄積させ、それを、１曲目の楽曲データと同様に、パネル制御部２５に出力するとともに、パネル制御部２５にチェックアウト指令を与える。
【００５８】
本体制御部１５は、ステップＳ６の処理をフラッシュメモリ２１の記録容量に空きがなくなるまで、繰返し行うことになる。こうして、図４（Ａ）に示すように、ステップＳ２で設定された楽曲データ（図３（Ａ）の例では、「楽曲データ１」から「楽曲データＸ」）のうち、１曲目の楽曲データ（楽曲データ１）から楽曲データ５までがＨＤＤ１１からフラッシュメモリ２１にチェックアウトされることになる。
【００５９】
次に、本体制御部１５は、１曲目の楽曲データの再生が終了したか否かを判断し（ステップＳ７）、再生が終了した場合には、チェックイン・アウト手段として、再生が終了した楽曲データをＨＤＤ１１にチェックインする（ステップＳ８）。つまり、本体制御部１５は、パネル制御部２５にチェックイン指令を与える。これにより、パネル制御部２５は、当該楽曲データをフラッシュメモリ２１から消去すべく、メモリ記録・再生部２２を制御し、当該楽曲データがフラッシュメモリ２１に消去されることになる。また、本体制御部１５は、チェックインされた楽曲データの許容複製回数を１度数増加させる。
【００６０】
次に、本体制御部１５は、上記設定された次の楽曲データ、即ち、１曲目の楽曲データの次に再生すべき楽曲データの再生指令を、ＨＤＤ記録・再生部１２に与える（ステップＳ９）。これにより、ＨＤＤ１１から、その楽曲データが再生され、音声処理部１３を介して音声出力されることになる。また、本体制御部１５は、ラストアドレスを更新し、脱着式操作パネル２のパネル制御部２５に対し通知する。
【００６１】
次に、本体制御部１５は、上記設定された楽曲データのうち、未だチェックアウトされていない楽曲データを、パネル制御部２５およびメモリ記録・再生部２２を介して、フラッシュメモリ２１にチェックアウトする（ステップＳ１０）。つまり、図４（Ｂ）に示すように、「楽曲データ１」がチェックインしたことにより、フラッシュメモリ２１に空き容量ができたので、その空いた記録領域に、「楽曲データ６」をチェックアウトするのである。なお、この時、本体制御部１５は、「楽曲データ６」を記録できるだけの空き容量があるかどうかを判断し、空き容量がある場合に、チェックアウトするようにしてもよい。
【００６２】
そして、ステップＳ７からステップＳ１０までの処理は、ユーザからの操作／表示部２４を介した再生停止指令若しくは、ステップＳ２で設定された全ての楽曲データの再生終了まで、繰返し行われることになる（ステップＳ１１）。即ち、フラッシュメモリ２１に記録される楽曲データは、ＨＤＤ１１からの楽曲データの再生終了にあわせて、順次入れ替わってゆくことになる。そして、例えば、上記の処理途中で、ユーザからの操作／表示部２４を介した再生停止指令があった場合には、その時再生していた楽曲データおよびこれに続いて再生すべき楽曲データが、フラッシュメモリ２１に記録されていることになる。その後、ユーザが、車から降りる際に、脱着式操作パネル２を本体装置１から外してポータブルプレーヤーとして使用する時においては、車の中で聴いていた楽曲データから再生することができる。つまり、脱着式操作パネル２のパネル制御部２５は、本体装置１の本体制御部１５から通知された最新のラストアドレスからそれまで本体装置１において再生されていた楽曲データを特定し、その楽曲データの初めから再生することになる。
【００６３】
なお、上記処理中に、本体装置１から脱着式操作パネル２から外れた場合には、本体制御部１５は、それを検知し、上記処理を終了する。この場合、脱着式操作パネル２のパネル制御部２５は、本体制御部１５から通知された最新のラストアドレスからそれまで本体装置１において再生されていた楽曲データを特定することができる。
【００６４】
以上説明したように、本実施形態によれば、再生すべき楽曲データをＨＤＤ１１からフラッシュメモリ２１にチェックアウトしておき、楽曲データの再生終了にあわせて、フラッシュメモリ２１に記録する楽曲データを入れ替えていくように構成したので、ユーザがＨＤＤ１１からの楽曲データの再生を停止し、脱着式操作パネル２を本体装置１から外してポータブルプレーヤーとして使用する時においても、ユーザは、これから聴こうとしていた楽曲データを選択してフラッシュメモリ２１にチェックアウトすることなく、脱着式操作パネル２にて簡単に聴くことができる。
【００６５】
なお、上記実施形態において、図３のステップＳ３の処理にて設定された１曲目の楽曲データを再生した後、ステップＳ４からステップＳ６の処理を行うように構成したが、ステップＳ４からステップＳ６の処理の後に、ステップＳ３の処理を行うように構成してもよい。
【００６６】
また、上記実施形態においては、プログラム情報として、楽曲データを例にとって説明したが、これに限定されるものではなく、例えば、映像データ等であってもよい。
【００６７】
また、上記実施形態においては、情報記録再生システムを車載用オーディオシステム１００に適用し、情報記録再生装置を本体装置１とし、携帯型情報記録再生装置を脱着式操作パネル２としたが、これに限定されるものではなく、例えば、情報記録再生装置をパーソナルコンピュータ若しくは、家庭用オーディオ装置に適用し、携帯型情報記録再生装置を携帯電話機若しくはポータブルＭＤプレーヤー、ポータブルＣＤプレーヤーに適用してもよい。
【００６８】
また、上記実施形態においては、ＳＤＭＩ規格に基づき許容複製回数が付与された楽曲データを例にとって説明したが、これに限定されるものではない。この場合において、上記チェックアウト手段は、情報複製手段となり、上記チェックイン・アウト手段は、情報消去複製手段となる。
【００６９】
【発明の効果】
以上説明したように、本発明によれば、再生すべきプログラム情報を第１記録媒体から第２記録媒体に複製し、プログラム情報の再生終了にあわせて、第２記録媒体に記録するプログラム情報を入れ替えていくように構成したので、例えば、ユーザが第１記録媒体からのプログラム情報の再生を停止し、携帯型情報記録再生装置を情報記録再生装置から外してポータブルプレーヤーとして使用する時においても、ユーザは、これから再生しようとしていたプログラム情報を選択して第２記録媒体に記録することなく、携帯型情報記録再生装置から簡単に再生させることができる。従って、ユーザによる煩雑な作業を削減し、利便性を向上させることができる。
【図面の簡単な説明】
【図１】本実施形態における車載用オーディオシステムの外観構成例である。
【図２】本実施形態における車載用オーディオシステム１００の概要ブロック例である。
【図３】ＨＤＤ１１から所定の楽曲データが再生される際における本体制御部１５の処理を示すフローチャートである。
【図４】図３の処理が実行される場合において、楽曲データがチェックアウトおよびチェックインされる場合のようすを示す概念図である。
【符号の説明】
１　本体装置
２　脱着式操作パネル
１０　係合部
１１　ＨＤＤ
１２　ＨＤＤ記録・再生部
１３　音声処理部
１４　通信部
１５　本体制御部
１６　電源
２０　被係合部
２１　フラッシュメモリ
２２　メモリ記録・再生部
２３　音声処理部
２４　操作／表示部
２５　パネル制御部
２６　電源
１００　車載用オーディオシステム
【図１】
2004005098.tif 000003
【図２】
2004005098.tif 000004
【図３】
2004005098.tif 000005
【図４】
2004005098.tif 000006